(57)【要約】 【課題】端子金具のコネクタハウジングからの抜き出しが容易であるとともに、異物の侵入も防止できるコネクタを提供する。【解決手段】コネクタハウジング１０内のキャビティ１１には、端子金具２０が二重係止機構によって抜け止め状態に保持されている。端子金具２０をキャビティ１１から取り出す場合、リテーナ４０を係止位置から後方に退避させると、端子係止突起４３は端子金具２０の移動を妨げない位置に退避し、治具挿入口１７が開放される。ここに治具５０を挿入し、ランス２４を倒して衝止面１８との係合を外して電線３０を引っ張れば、端子金具２０を簡単に引き出すことが可能である。【選択図】 図５
2005322658.tif 000002
【特許請求の範囲】
【請求項１】
コネクタハウジング内に端子金具が挿入されるキャビティを備え、そのキャビティに挿入された端子金具が係止機構によって抜け止め状態に保持されるとともに、前記コネクタハウジングにリテーナを係止位置に装着することによって前記端子金具をさらに抜け止め状態となるよう二重に係止するようにしたものにおいて、
前記リテーナには、前記係止位置において前記キャビティ内に位置して前記端子金具に係止する端子係止突部が設けられ、
前記コネクタハウジングの側壁部には、前記係止機構による係止を解除するための治具を挿入する治具挿入口が形成されるとともに、前記リテーナの前記端子係止突部を前記キャビティ内に突出させるための開口部が、前記治具挿入口が設けられているのと同じ面に形成され、
前記リテーナには、前記係止位置にあるときに前記治具挿入口を閉塞し、前記係止位置から待避したときに前記治具挿入口を開放する挿入口閉鎖部が設けられており、
前記側壁部の外面側には、前記治具挿入口よりも前側部分を残しつつ内側に凹むよう段部が形成され、そこに前記リテーナが取り付けられるようになっており、さらにリテーナが前記係止位置に配されたときには、前記段部の底面によって前記リテーナが受けられるとともに、前記端子係止突部が前記側壁部のうち前記治具挿入口と前記開口部との間の部分に潜り込むようにしてその内面に係止され、且つ前記側壁部のうち前記治具挿入口よりも前側部分の外面と前記係止位置としたリテーナの外面とが面一状になっていることを特徴とするコネクタ。
【請求項２】
前記端子金具の係止機構が端子金具に切り起し状に形成されたランスと、前記コネクタハウジングのキャビティ内面に形成されて前記ランスが係合する衝止面とから構成され、前記治具挿入口が、前記コネクタハウジングの壁面を内部に貫通して前記治具により前記ランスを倒し方向に押圧し得るように形成されていることを特徴とする請求項１記載のコネクタ。
【請求項３】
リテーナは、そのリテーナ本体がコネクタハウジングの側壁部に前記端子金具の挿入方向に沿って移動して前記係止位置に装着され、前記リテーナ本体には、前記係止位置において前記キャビティ内に位置して前記端子金具を係止する端子係止突部と、前記治具挿入口を閉塞する挿入口閉鎖部とが一体に設けられていることを特徴とする請求項１または請求項２記載のコネクタ。
【請求項４】
リテーナは、前記挿入口閉鎖部が前記治具挿入口の開口されたコネクタハウジングの壁面から離間しつつその治具挿入口を開放するように移動して前記係止位置から退避可能とされ、かつその退避位置において仮係止可能とされていることを特徴とする請求項１記載のコネクタ。
【請求項５】
前記挿入口閉鎖部と前記治具挿入口が開口されたコネクタハウジングの壁面との少なくともいずれか一方には、リテーナが前記退避位置にある場合において前記挿入口閉鎖部と前記壁面との隙間を狭めるべく突部が形成されているとともに、前記挿入口閉鎖部と前記壁面のうちの前記突部が形成された側と反対側には、リテーナが前記係止位置に移動した場合に前記突部を嵌めて逃がす凹部が形成されていることを特徴とする請求項４記載のコネクタ。
【請求項６】
前記突部が前記挿入口閉鎖部側に形成される一方、前記治具挿入口が前記突部を嵌めて逃がす凹部を兼ねていることを特徴とする請求項５記載のコネクタ。
【発明の詳細な説明】
【技術分野】
【０００１】
本発明は、リテーナによって端子金具を二重係止状態とするコネクタに関する。
【背景技術】
【０００２】
この種のコネクタは、コネクタハウジングのキャビティに挿入された端子金具を例えば端子金具に切り起し形成したランス等の係止機構によって抜け止め状態に保持するとともに、コネクタハウジングにリテーナを係止位置に装着することによって端子金具をさらに抜け止め状態となるよう二重に係止するようになっている。
【発明の開示】
【発明が解決しようとする課題】
【０００３】
コネクタにおいて端子金具の交換等のメンテナンスを行うには、キャビティ内の端子金具をコネクタハウジングから引き出す必要がある。二重係止タイプのものにおいて端子金具を引き出すには、まずリテーナを係止位置から待避させて二重係止状態を解き、その状態でランス等の係止機構の係止を解除することになる。
ところが、リテーナを係止位置から待避させる操作は比較的簡単であるが、ランス等の係止機構はキャビティ内部に位置しているから、その係止状態を解除するには、キャビティの前面から細長い特殊治具を挿入して手探りで行わねばならず、決して容易ではない。
【０００４】
そこで、コネクタハウジングを貫通させてランスに届く治具挿入口を形成することも考えられるが、そうすると今度は、治具挿入口から異物が侵入して端子金具に付着する等の不具合が予想される。  
本発明は上記のような事情に基づいて完成されたものであって、その目的は、端子金具のコネクタハウジングからの抜き出しが容易であり、しかもコネクタハウジング内への異物の侵入も効果的に防止することができるコネクタを提供するところにある。
【課題を解決するための手段】
【０００５】
＜請求項１の発明＞
上記の目的を達成するために、請求項１の発明に係るコネクタは、コネクタハウジング内に端子金具が挿入されるキャビティを備え、そのキャビティに挿入された端子金具が係止機構によって抜け止め状態に保持されるとともに、前記コネクタハウジングにリテーナを係止位置に装着することによって前記端子金具をさらに抜け止め状態となるよう二重に係止するようにしたものにおいて、前記リテーナには、前記係止位置において前記キャビティ内に位置して前記端子金具に係止する端子係止突部が設けられ、前記コネクタハウジングの側壁部には、前記係止機構による係止を解除するための治具を挿入する治具挿入口が形成されるとともに、前記リテーナの前記端子係止突部を前記キャビティ内に突出させるための開口部が、前記治具挿入口が設けられているのと同じ面に形成され、前記リテーナには、前記係止位置にあるときに前記治具挿入口を閉塞し、前記係止位置から待避したときに前記治具挿入口を開放する挿入口閉鎖部が設けられており、前記側壁部の外面側には、前記治具挿入口よりも前側部分を残しつつ内側に凹むよう段部が形成され、そこに前記リテーナが取り付けられるようになっており、さらにリテーナが前記係止位置に配されたときには、前記段部の底面によって前記リテーナが受けられるとともに、前記端子係止突部が前記側壁部のうち前記治具挿入口と前記開口部との間の部分に潜り込むようにしてその内面に係止され、且つ前記側壁部のうち前記治具挿入口よりも前側部分の外面と前記係止位置としたリテーナの外面とが面一状になっている構成としたところに特徴を有する。
【０００６】
＜請求項２の発明＞
請求項２の発明は、請求項１の発明において、前記端子金具の係止機構が端子金具に切り起し状に形成されたランスと、前記コネクタハウジングのキャビティ内面に形成されて前記ランスが係合する衝止面とから構成され、前記治具挿入口が、前記コネクタハウジングの壁面を内部に貫通して前記治具により前記ランスを倒し方向に押圧し得るように形成されている構成としたところに特徴を有する。
【０００７】
＜請求項３の発明＞
請求項３の発明は、請求項１または請求項２の発明において、リテーナは、そのリテーナ本体がコネクタハウジングの側壁部に前記端子金具の挿入方向に沿って移動して前記係止位置に装着され、前記リテーナ本体には、前記係止位置において前記キャビティ内に位置して前記端子金具を係止する端子係止突部と、前記治具挿入口を閉塞する挿入口閉鎖部とが一体に設けられている構成としたところに特徴を有する。
【０００８】
＜請求項４の発明＞
また請求項４の発明は、請求項１の発明において、リテーナは、前記挿入口閉鎖部が前記治具挿入口の開口されたコネクタハウジングの壁面から離間しつつその治具挿入口を開放するように移動して前記係止位置から退避可能とされ、かつその退避位置において仮係止可能とされている構成としたところに特徴を有する。
【０００９】
＜請求項５の発明＞
請求項５の発明は、請求項４の発明において、前記挿入口閉鎖部と前記治具挿入口が開口されたコネクタハウジングの壁面との少なくともいずれか一方には、リテーナが前記退避位置にある場合において前記挿入口閉鎖部と前記壁面との隙間を狭めるべく突部が形成されているとともに、前記挿入口閉鎖部と前記壁面のうちの前記突部が形成された側と反対側には、リテーナが前記係止位置に移動した場合に前記突部を嵌めて逃がす凹部が形成されている構成としたところに特徴を有する。
【００１０】
＜請求項６の発明＞
請求項６の発明は、請求項５の発明において、前記突部が前記挿入口閉鎖部側に形成される一方、前記治具挿入口が前記突部を嵌めて逃がす凹部を兼ねている構成としたところに特徴を有する。
【発明の効果】
【００１１】
＜請求項１の発明＞
請求項１のコネクタによれば、端子金具をコネクタハウジング内から引き抜くには、まずリテーナを係止位置から待避させる。すると、端子金具に対する抜け止め状態が解除され、端子金具は係止機構だけでコネクタハウジングに係止された状態になる。
また、リテーナが係止位置から退避することにより、挿入口閉鎖部が治具挿入口を開放するようになるから、治具挿入口に治具を挿入して端子金具の係止機構を解除することができるようになる。
また、リテーナが係止位置にあるときには、治具挿入口はリテーナの挿入口閉鎖部によって閉塞されているから、ここから異物が侵入することを確実に防止することができる。
【００１２】
＜請求項２の発明＞
請求項２のコネクタによれば、係止機構が、端子金具に切り起し状に形成されたランスと、コネクタハウジングの衝止面とから構成されているから、係止機構の構造が簡単となるだけでなく、治具挿入口を開放し、そこから治具を挿入してランスを押さえるように操作すれば係止を解除することができ、その作業も極めて簡単となる。
【００１３】
＜請求項３の発明＞
請求項３のコネクタでは、リテーナ本体を端子金具の挿入方向に沿って移動させて係止位置に装着する構造であるから、そのリテーナ本体の先端部に挿入口閉鎖部を一体に設ければよく、リテーナの構造が簡単になる。
【００１４】
＜請求項４の発明＞
請求項４の発明に係るコネクタでは、リテーナをコネクタハウジングに対して退避位置で仮係止可能としてあり、端子金具の挿入作業や取り外し作業をリテーナを組み付けたままで行うことができ、取扱いに便利となる。
【００１５】
＜請求項５の発明＞
請求項５のコネクタによれば、リテーナが退避位置にある場合には、突部の存在によって挿入口閉鎖部とコネクタハウジングの壁面との間の隙間が狭められることで、その間に不用意に電線等が入り込むことが防止され、リテーナが係止位置に移動した場合には、突部が凹部に嵌まって逃がされつつ治具挿入口が挿入口閉鎖部により確実に閉鎖される。
【００１６】
＜請求項６の発明＞
請求項６のコネクタによれば、治具挿入口に逃がし用の凹部を兼ねさせたことで別途に凹部を設けることが不要にでき、構造の簡素化を図ることができる。
【発明を実施するための最良の形態】
【００１７】
以下、本発明の実施形態を添付図面に基づいて説明する。  
＜第１実施形態＞
まず、本発明をリテーナの上下壁取付タイプの雌形コネクタに適用した第１実施形態について図１ないし図５を参照して説明する。  
コネクタハウジング１０は箱形をなし、内部に複数のキャビティ１１が前後（図２中において左右方向）に貫通して設けられている。このコネクタハウジング１０の前面にはキャビティ１１に連なる雄端子挿入口１２が開口しており、後部からキャビティ１１内に端子金具２０が挿入された状態で、前記雄端子挿入口１２を通して図示しない雄側の端子金具が挿入されるとその端子金具２０と接続される。なお、コネクタハウジング１０の上面には、嵌合相手の雄側のコネクタに対して係合状態とするためのロックアーム１３がコネクタハウジング１０の先端部中央から後方に延びる片持ち状態で設けられている。
【００１８】
端子金具２０は、電線３０の芯線３１がカシメ接続されるワイヤバレル２１、電線３０の絶縁被覆がカシメ固定されるインシュレーションバレル２２及びこれらの前方で角筒状をなす接続部２３を一体に備えた周知の形状であり、その接続部２３内に前述の雄側端子金具と接続される弾性接触片（図示せず）が設けられている。また、上記接続部２３の上面にはランス２４が切り起し形成されていて、これがコネクタハウジング１０のキャビティ１１の内面に突出するように設けた衝止面１８と係合して端子金具２０の抜け止めを図るようになっており、これらが端子金具２０の係止機構を構成する。
【００１９】
また、上記係止機構とは別に、さらに確実な抜け止めを図るために次に述べるような２つのリテーナ４０を利用した二重係止構造が設けられている。上下の各リテーナ４０は、主板部４１がコネクタハウジング１０の上下各側壁部に取り付けられるようになっており、上側のものは下側のものと比べて主板部４１にロックアーム１３を逃がすための切欠き４２を形成したところが相違するのみで基本的には同等な形状であり、上側のものについて説明する。
【００２０】
主板部４１の下面側には、各キャビティ１１に対応して下向きの端子係止突起４３が横並びに間隔を明けて突設されており、これがコネクタハウジング１０の上側壁部に形成された開口部１４を貫通してキャビティ１１内に突出する。また、主板部４１の左右両側部にはそれぞれ取付壁部４４が下向きに延出して形成され、ここに斜めの係止孔４５が形成されている。一方、コネクタハウジング１０の左右両側壁には、２個の係止突起１５、１６が上記リテーナ４０の係止孔４５の延長方向に沿って間隔を隔てて突設され、後方側の係止突起１５のみが係止孔４５に嵌合した状態（図３参照）と、そこから斜め下方に移動して双方の係止突起１５、１６が係止孔４５に嵌合した状態（図１参照）とにリテーナ４０を保持可能である。リテーナ４０が図１に示した状態にあるときには、図２に示すように、その端子係止突起４３はキャビティ１１内に進出することで端子金具２０の接続部２３の後端を係止してその抜止を行っており、以下この位置を「係止位置」という。また、リテーナ４０が図３に示した状態では、図４に示すように、その端子係止突起４３がキャビティ１１内から上方に退避し、端子金具２０のキャビティ１１内での移動を妨げない状態となる。
【００２１】
さて、コネクタハウジング１０の上下の両側壁には、端子金具２０のランス２４に対応する位置に治具挿入口１７がキャビティ１１内に向けて貫通するように形成されており、ここに図５に示すように治具５０を挿入できるようになっている。この治具５０は押圧ピン５１の基部に握り部５２を取り付けた構造であり、その押圧ピン５１を治具挿入口１７に差し込んで押圧することで、端子金具２０のランス２４を倒し方向に押圧することができる。
【００２２】
そして、上記リテーナ４０の主板部４１の先端側には、これと一体の挿入口閉鎖部４６が延設されており、リテーナ４０が係止位置にあるときにはコネクタハウジング１０の治具挿入口１７を挿入口閉鎖部４６によって閉鎖し（図２参照）、リテーナ４０が係止位置から後方に退避すれば、挿入口閉鎖部４６が治具挿入口１７を開放するようになっている。
【００２３】
本第１実施形態の構成は以上の通りであり、その作用は次のようである。メンテナンス等のためにキャビティ１１から端子金具２０を取り外す必要が生じた場合には、まず、各リテーナ４０を移動させて係止位置から後方に退避させる。これにより、リテーナ４０の係止孔４５は後方側の係止突起１５のみと係合する位置に後退し、図５に示すようにコネクタハウジング１０の治具挿入口１７が開放する。そこで、治具５０の押圧ピン５１を治具挿入口１７内に挿入し、端子金具２０のランス２４を倒せば、ランス２４とコネクタハウジング１０の衝止面１８との係合が外れる。そこで、電線３０を持って後方に引っ張れば、リテーナ４０の端子係止突起４３は既に端子金具２０の移動を妨げない位置に退避しているから、端子金具２０をキャビティ１１から簡単に引き出すことができる。
【００２４】
このように本実施形態では、コネクタハウジング１０の上下両側壁部に治具挿入口１７が形成されているから、リテーナ４０を係止位置から退避させることでその治具挿入口１７を開放し、そこに治具５０を差し込むことで端子金具２０を簡単に引き出すことができる。このため、端子金具２０の交換等のメンテナンス作業が極めて簡単になるという効果が得られる。  
しかも、その治具挿入口１７はリテーナ４０が係止位置にある場合には、挿入口閉鎖部４６によって塞がれるから、ここを通してキャビティ１１内に異物が侵入することを確実に防止することができる。
【００２５】
＜参考例＞
図６ないし図１２はリテーナの横側壁取付タイプの雌側コネクタについての参考例を示す。  
コネクタハウジング６０は箱形をなし、内部に複数のキャビティ６１が前後（図７中において左右方向）に貫通して設けられている。このコネクタハウジング６０の前面にはキャビティ６１に連なる雄端子挿入口６２が開口しており、後部からキャビティ６１内に端子金具７０が挿入された状態で、前記雄端子挿入口６２を通して図示しない雄側の端子金具が挿入されるとその端子金具７０と接続される。
【００２６】
端子金具７０は、電線８０の芯線８１がカシメ接続されるワイヤバレル７１、電線８０の絶縁被覆がカシメ固定されるインシュレーションバレル７２びこれらの前方で角筒状をなす接続部７３を一体に備えた周知の形状であり、その接続部７３内に前述の雄側端子金具と接続される弾性接触片（図示せず）が設けられている。また、上記接続部７３の上面にはランス７４が切り起し形成されていて、これがコネクタハウジング６０のキャビティ６１の内面に突出するように設けた衝止面６３と係合して上記端子金具７０の抜け止めを図るようになっており、これらが端子金具７０の係止機構を構成する。また、ランス７４の後方に位置してスタビライザ７５が突設されており、これがキャビティ６１の内面に形成したガイド溝６４内に位置して端子金具７０のキャビティ６１内での姿勢安定化を図っている。なお、図８に示すように、前方から見てスタビライザ７５はランス７４とは右側にずれた箇所に位置しており、衝止面６３と干渉しないようになっている。
【００２７】
また、上記係止機構とは別に、さらに確実な抜け止めを図るために次に述べるような２つのリテーナ９０を利用した二重係止構造が設けられている。
まず、図７に示すように、コネクタハウジング６０の上下両面にコネクタの幅方向に延びるスリット状の開口部６５が形成されている。そして、リテーナ９０の上下には、コネクタハウジング６０の上下両面に沿うスライド板部９１が上下に対をなして形成され、コネクタハウジング６０を上下から挟むように取り付けられる。その取付状態で、リテーナ９０はコネクタハウジング６０の左右に移動可能であり、スライド板部９１の後端中央に突設した係合突起９２がコネクタハウジング６０の対応部側に形成した２つの位置決め凹部６６のいずれかに係合して図６及び図１０にそれぞれ示す位置に位置決めされる。そして、図９に示すように、各スライド板部９１の裏面には複数の端子係止突起９３が所定間隔を隔てて横並びに突設されており、各端子係止突起９３は前記開口部６５を通して各キャビティ６１内に突出する。リテーナ９０が図６に示す位置にあるときには、端子係止突起９３がスタビライザ７５の後方から外れた状態にあって端子金具７０の自由な移動を許容し、図１０に示す位置に至ると、端子係止突起９３はスタビライザ７５の後方に位置して、スタビライザ７５の移動を規制して端子金具７０の抜止を図るようになっている。そこで、以下、図６に示すリテーナ９０の位置を「仮係止位置」、図１０に示す位置を「本係止位置」と称する。
【００２８】
さて、コネクタハウジング６０の上下の両側壁には、端子金具７０のランス７４に対応する位置に治具挿入口６７が開口形成されている。そして、上記リテーナ９０のスライド板部９１には、上記治具挿入口６７と同一のピッチ及び開口サイズで連通口９４が設けられており、リテーナ９０が仮係止位置にあるときには、図８に示すように、治具挿入口６７と連通口９４とが連続して治具挿入口６７が開放された状態となる。また、リテーナ９０が本係止位置にあるときには、図１１に示すように治具挿入口６７と連通口９４とが連続せずに治具挿入口６７が閉鎖された状態となる。
【００２９】
なお、係止機構解除用の治具１００は、図１２に示すように、押圧ピン１０１の基部に握り部１０２を取り付けた構造であり、その押圧ピン１０１を治具挿入口６７に差し込んで押圧することで、端子金具７０のランス７４を倒し方向に押圧することができる。
【００３０】
本参考例の構成は以上の通りであり、その作用は次のようである。メンテナンス等のためにキャビティ６１から端子金具７０を取り外す必要が生じた場合には、まず、本係止位置にあるリテーナ９０を仮係止位置に移動させる。これにより、リテーナ９０の端子係止突起９３が端子金具７０のスタビライザ７５の後方から退避するとともに、図８に示すようにコネクタハウジング６０の治具挿入口６７が開放する。そこで、治具１００の押圧ピン１０１を治具挿入口６７内に挿入し、端子金具７０のランス７４を押し倒せば、ランス７４とコネクタハウジング６０の衝止面６３との係合が外れる。そこで、電線８０を持って後方に引っ張れば、リテーナ９０の端子係止突起９３は既に端子金具７０の移動を妨げない位置に退避しているから、端子金具７０をキャビティ６１から簡単に引き出すことができる。
【００３１】
このように本参考例では、コネクタハウジング６０の上下両側壁部に治具挿入口６７が形成されているから、リテーナ９０を仮係止位置に退避させることでその治具挿入口６７が連通口９４と一致して開放し、そこに治具１００を差し込むことで端子金具７０を簡単に引き出すことができる。このため、前記実施形態と同様に、端子金具７０の交換等のメンテナンス作業が極めて簡単になるという効果が得られる。  
しかも、その治具挿入口６７はリテーナ９０が本係止位置にある場合には、連通口９４と不一致となって塞がれるから、やはり第１実施形態と同様にキャビティ６１内に異物が侵入することを確実に防止することができるという効果が得られる。
【００３２】
＜第２実施形態＞
さらに図１３ないし図１５によって、本発明の第２実施形態を説明する。この第２実施形態は、前記した第１実施形態にさらに改良を加えたものである。  
ワイヤハーネスを製造する工程では、電線群の端部に、リテーナを仮係止した状態のコネクタを接続し、これを組立図板上で所定の配線形状に布線したのち、その電線群の回りにテープ卷き等を施して所定形状に固めるといった工程が設けられる。その場合、布線前の電線群はコネクタを接続した状態でハンガ等に掛けられて待機している。
【００３３】
ここで、第１実施形態のコネクタは、リテーナ４０が退避位置（仮係止位置）に係止されている場合には、図４に示されるように、リテーナ４０に設けられた挿入口閉鎖部４６と、コネクタハウジング１０における治具挿入口１７の開口された上下の壁面との間に、深い溝状の隙間ができた状態にある。そうすると、このようなコネクタを接続した状態で多数の電線群がハンガに掛けられた場合に、互いに絡み合うことで、一つの電線群の電線が別の電線群のコネクタにおける上記の隙間に入り込んでしまうおそれがある。そして、そのまま布線をすべく電線群をハンガから外すと、電線の入り込んでいたコネクタではリテーナ４０が引っ張られて外れたり、リテーナ４０の係止部分が破損することも懸念される。この第２実施形態のコネクタは、主にこのような事態を回避すべく改良されたものである。
【００３４】
そのためこの第２実施形態では、図１３〜図１５に示すように、リテーナ４０に設けられた挿入口閉鎖部４６の内面側に、突条１１１が全幅にわたって形成されている。一方、コネクタハウジング１０の上下の壁面には、リテーナ４０が係止位置に移動された場合において、その突条１１１が当接する部分（治具挿入口１７が開口された部分）に、その突条１１１を嵌めて逃がす逃がし溝１１２が形成されている。  
その他の構造は前記第１実施形態と同様であって、同一機能を有する部位については同一符号を付すことで重複した説明は省略する。
【００３５】
上記のような構造であると、図１４に示すように、リテーナ４０が退避位置に係止されていて、挿入口閉鎖部４６とコネクタハウジング１０の上下の壁面との間に隙間１１０ができたとしても、突条１１１がその隙間１１０の入り口を狭めるように機能する。これにより、電線３０が隙間１１０内に入り込むことを極力防止することができる。一方、図１５に示すように、リテーナ４０が係止位置に移動された場合には、突条１１１が逃がし溝１１２に嵌まり、リテーナ４０の移動を阻害することなく挿入口閉鎖部４６により治具挿入口１７を完全に閉鎖することができる。
【００３６】
なお、挿入口閉鎖部４６の全幅にわたって突条１１１を設けることに代えて、挿入口閉鎖部４６の幅方向の一部にのみ突部を設けるようにしてもよい。これによっても、電線３０の入り込みを防止することができる。その場合、突部を治具挿入口１７に対応する位置に設ければ、その治具挿入口１７に逃がし用の凹部を兼用させることができて、改めて逃がし用の凹部を設けることが不要にでき、コネクタハウジング１０の形状変更は不要となる。
【００３７】
＜第３実施形態＞
図１６および図１７は、本発明の第３実施形態を示す。この第３実施形態では、第２実施形態に加え、コネクタハウジング１０の上下の壁面における治具挿入口１７を開口した部分の後側（図１６の右側）に突条１１５が形成されているとともに、挿入口閉鎖部４６には、上記の突条１１１の後側において、コネクタハウジング１０側の突条１１５を嵌めて逃がす逃がし溝１１６が形成されている。なお、両突条１１１，１１５は、リテーナ４０が係止位置と退避位置との間を移動する間、互いに干渉しない設定となっている。
【００３８】
この第３実施形態では、図１６に示すように、リテーナ４０が退避位置に係止された場合、両突条１１１，１１５の存在によって挿入口閉鎖部４６とコネクタハウジング１０の壁面の間の隙間１１０の入り口がより狭められ、電線３０が隙間１１０内に入り込むことがより確実に防止される。リテーナ４０が係止位置に移動された場合には、図１７に示すように、各突条１１１，１１５がそれぞれ対応する逃がし溝１１２，１１６に嵌まりつつ、挿入口閉鎖部４６が治具挿入口１７を完全に閉鎖する。
【００３９】
なお、コネクタハウジング１０の上下の壁面側にのみ突部を設けるとともに、挿入口閉鎖部４６側にその突部を嵌めて逃がす凹部を設ける構造としてもよい。この場合も、第２実施形態と同程度に隙間１１０を狭める機能を果たすことができる。  
本発明は上記記述及び図面によって説明した実施の形態に限定されるものではなく、要旨を逸脱しない範囲内で種々変更して実施することができる。
【００４０】
なお、上記した実施形態からは、特許請求の範囲に記載した技術的思想のほかに、以下に記載する技術的思想を把握することができる。
コネクタハウジング内に端子金具が挿入されるキャビティを備え、そのキャビティに挿入された端子金具が係止機構によって抜け止め状態に保持されるとともに、前記コネクタハウジングにリテーナを係止位置に装着することによって前記端子金具をさらに抜け止め状態となるよう二重に係止するようにしたものにおいて、
前記リテーナには、前記係止位置において前記キャビティ内に位置して前記端子金具に係止する端子係止突部が設けられ、
前記コネクタハウジングの側壁部には、前記係止機構による係止を解除するための治具を挿入する治具挿入口が形成されるとともに、前記リテーナの前記端子係止突部を前記キャビティ内に突出させるための開口部が、前記治具挿入口が設けられているのと同じ面に形成され、
前記リテーナには、前記係止位置にあるときに前記治具挿入口を閉塞し、前記係止位置から待避したときに前記治具挿入口を開放する挿入口閉鎖部が設けられており、
前記側壁部の外面側には、内側に凹むよう段部が形成され、そこに前記リテーナが取り付けられるようになっており、さらにリテーナが前記係止位置に配されたときには、前記段部の底面によって前記リテーナが受けられるとともに、前記端子係止突部が前記側壁部のうち前記治具挿入口と前記開口部との間の部分の内面に係止され、且つ前記側壁部のうち前記段部の周りの外面と前記係止位置としたリテーナの外面とが面一状になっていることを特徴とするコネクタ。
【図面の簡単な説明】
【００４１】
【図１】本発明の第１実施形態に係るコネクタの斜視図
【図２】同じく縦断面図
【図３】同じくリテーナを係止位置から退避させた状態で示す斜視図
【図４】同じくリテーナを係止位置から退避させた状態で示す縦断面図
【図５】同じく治具の使用形態を示す縦断面図
【図６】参考例に係るコネクタの斜視図
【図７】同じく縦断面図
【図８】同じくリテーナが仮係止位置にある状態の縦断正面図
【図９】同じくリテーナの斜視図
【図１０】同じくリテーナが本係止位置にある状態の斜視図
【図１１】同じくリテーナが本係止位置にある状態の縦断正面図
【図１２】同じく治具の使用形態を示す縦断面図
【図１３】本発明の第２実施形態に係るリテーナが退避位置にある状態のコネクタの斜視図
【図１４】同じく縦断面図
【図１５】同じくリテーナが係止位置にある状態の縦断面図
【図１６】本発明の第３実施形態に係るリテーナが退避位置にある状態のコネクタの縦断面図
【図１７】同じくリテーナが係止位置にある状態の縦断面図
【符号の説明】
【００４２】
１０、６０…コネクタハウジング
１１、６１…キャビティ
１４、６５…開口部
１７、６７…治具挿入口
１８、６３…衝止面
２０、７０…端子金具
２４、７４…ランス
３０…電線
４０、９０…リテーナ
４３、９３…端子係止突起
４６…挿入口閉鎖部
５０、１００…治具
９１…スライド板部
９４…連通口
１１０…隙間
１１１…突条
１１２…逃がし溝
１１５…突条
１１６…逃がし溝
【図１】
2005322658.tif 000003
【図２】
2005322658.tif 000004
【図３】
2005322658.tif 000005
【図４】
2005322658.tif 000006
【図５】
2005322658.tif 000007
【図６】
2005322658.tif 000008
【図７】
2005322658.tif 000009
【図８】
2005322658.tif 000010
【図９】
2005322658.tif 000011
【図１０】
2005322658.tif 000012
【図１１】
2005322658.tif 000013
【図１２】
2005322658.tif 000014
【図１３】
2005322658.tif 000015
【図１４】
2005322658.tif 000016
【図１５】
2005322658.tif 000017
【図１６】
2005322658.tif 000018
【図１７】
2005322658.tif 000019